(57)【要約】【課題】受光部を有する表示装置において、発光効率の低下および部品点数を増加することなく表示画質を向上させることが可能な表示装置および電子機器を提供する。【解決手段】表示パネル１０は、赤色発光素子１１１Ｒ，緑色発光素子１１１Ｇ，青色発光素子１１１Ｂを含む発光部１１１と、受光素子としての受光用トランジスタＴｒ２１を含む受光部１１２とからなる複数の画素１１を有している。画素１１はＲ，Ｇ，Ｂに対応するサブ画素１１Ｒ，１１Ｇ，１１Ｂを含む。受光部１１２はカラーフィルタ８３６を有し、カラーフィルタ８３６を透過した光を受光用トランジスタＴｒ２１で受光し、得られた受光信号に基づいて発光素子１１１Ｒ，１１０Ｇ，１１０Ｂの発光制御を行う。これにより各色の輝度が調整され、表示画質が向上される。【選択図】図５
2011215353.tif 000002
【特許請求の範囲】
【請求項１】
画素毎に発光素子を含む発光部を有すると共に、少なくとも１つの画素に受光素子を含む受光部を有する表示パネルと、
前記発光素子に対する表示駆動および前記受光素子に対する受光駆動をそれぞれ行う駆動部とを備え、
前記受光部を有する画素は前記受光素子の前面にカラーフィルタを有し、前記受光素子は前記カラーフィルタの透過光を受けて受光信号を出力し、
前記駆動部では、前記受光素子の出力信号に基づいて前記発光素子の発光制御を行う
表示装置。
【請求項２】
前記表示パネルは、前記画素毎に前記受光部を有する、請求項１に記載の表示装置。
【請求項３】
前記表示パネルは、前記受光素子を基板上に有すると共に、前記受光素子上に開口を有する上部パターン層を有し、
前記カラーフィルタは、前記開口を覆うように前記上部パターン層上に形成されている、請求項１に記載の表示装置。
【請求項４】
前記発光部は互いに異なる色の発光を行う複数の発光素子を含むと共に、各発光素子毎に当該色のカラーフィルタを有し、前記受光部は前記発光素子のカラーフィルタを共有する、請求項１に記載の表示装置。
【請求項５】
前記表示パネルは、各受光部に接続された第１の走査線、受光信号線としての第１の信号線、第１の電源線およびゲート線を有し、
各受光部は、前記受光素子として機能する第１のトランジスタと、第２および第３のトランジスタと、前記第１の保持容量素子と、抵抗素子とを含み、
前記第１のトランジスタのゲートが前記ゲート線に接続されると共に、ドレインが前記第１の電源線に接続され、
前記第１のトランジスタのソースが、前記第１の保持容量素子の一端および前記第２のトランジスタのゲートに接続され、
前記第２のトランジスタのドレインが前記第１の電源線に接続されると共に、ソースが前記第３のトランジスタのドレインに接続され、
前記第３のトランジスタのゲートが前記第１の走査線に接続されると共に、ソースが前記第１の信号線および前記抵抗素子の一端に接続され、
前記第１の保持容量素子の他端および前記抵抗素子の他端がそれぞれ、接地電位に設定されている、請求項１に記載の表示装置。
【請求項６】
前記表示パネルは、各画素に接続された第２の走査線、映像信号線としての第２の信号線および第２の電源線を有し、
各画素は、前記発光素子としての有機電界発光素子と、第４および第５のトランジスタと、第２の保持容量素子とを含み、
前記第４のトランジスタのゲートが前記第２の走査線に接続され、
前記第４のトランジスタにおけるドレインおよびソースのうち、一方が前記第２の信号線に接続されると共に、他方が前記第５のトランジスタのゲートおよび前記第２の保持容量素子の一端に接続され、
前記第５のトランジスタにおけるドレインおよびソースのうち、一方が前記第２の電源線に接続されると共に、他方が前記第２の保持容量素子の他端および前記有機電界発光素子のアノードに接続され、
前記有機電界発光素子のカソードが固定電位に設定されている、請求項１に記載の表示装置。
【請求項７】
表示装置を備え、
前記表示装置は、
画素毎に発光素子を含む発光部を有すると共に、少なくとも１つの画素に受光素子を含む受光部を有する表示パネルと、
前記発光素子に対する表示駆動および前記受光素子に対する受光駆動をそれぞれ行う駆動部とを備え、
前記受光部を有する画素は前記受光素子の前面にカラーフィルタを有し、前記受光素子は前記カラーフィルタの透過光を受けて受光信号を出力し、
前記駆動部では、前記受光素子の出力信号に基づいて前記発光素子の発光制御を行う
電子機器。
【発明の詳細な説明】
【技術分野】
【０００１】
本発明は、有機ＥＬ（Electro Luminescence）素子等の発光素子を用いて構成された表示装置、およびそのような表示装置を備えた電子機器に関する。
【背景技術】
【０００２】
近年、画像表示を行う表示装置の分野では、発光素子として、流れる電流値に応じて発光輝度が変化する電流駆動型の光学素子、例えば有機ＥＬ素子を用いた表示装置（有機ＥＬ表示装置）が開発され、商品化が進められている。
【０００３】
有機ＥＬ素子は、液晶素子などと異なり自発光素子である。そのため、有機ＥＬ表示装置では光源（バックライト）が必要ないことから、光源を必要とする液晶表示装置と比べ、画像の視認性が高く、消費電力が低く、かつ素子の応答速度が速い。
【０００４】
一方、この自発光素子である有機ＥＬ素子には、外光の表面反射によって景色の映りこみが発生し、これにより視認性が低下する、あるいは外光と有機ＥＬ素子の発光光との混色によって表示画質が低下するなどの問題があった。これに対して、表示画面に反射防止フィルムを設け、これにより外光の反射を防止し、視認性を向上させるという提案がなされている。具体的には、反射防止フィルムの表面に錐形状の複数の凸部を設け、表示画面の表面側より外側（空気側）へ向かって形成された物理的な錐形状によって屈折率を変化させることにより光の反射を防止するものである（特許文献１参照）。
【先行技術文献】
【特許文献】
【０００５】
【特許文献１】特開２００８−１６５２１３号公報
【発明の概要】
【発明が解決しようとする課題】
【０００６】
しかしながら、このような表示装置では、上記表示画質の低下を改善するには十分ではなく、また、反射防止フィルムを設けるためその分、発光効率が低下するという問題があった。更に、上記のように加工した反射防止フィルムを設けることにより部品点数が増加すると共に、コストが高くなるという問題もあった。
【０００７】
本発明はかかる問題点に鑑みてなされたもので、その目的は、発光効率を低下することなく、かつ部品点数を増加することなく、表示画質を向上させることの可能な表示装置および電子機器を提供することにある。
【課題を解決するための手段】
【０００８】
本発明の表示装置は、画素毎に発光素子を含む発光部を有すると共に、少なくとも１つの画素に受光素子を含む受光部を有する表示パネルと、発光素子に対する表示駆動および前記受光素子に対する受光駆動をそれぞれ行う駆動部とを備えている。また、受光部を有する画素は受光素子の前面にカラーフィルタを有し、受光素子はカラーフィルタの透過光を受けて受光信号を出力し、駆動部では、この受光素子の出力信号に基づいて発光素子の発光制御を行う。
【０００９】
本発明の電子機器は、上記本発明の表示装置を備えたものである。
【００１０】
本発明の表示装置および電子機器では、受光部の前面に設けられたカラーフィルタにより外光が選別され、このカラーフィルタにより選別された光が受光部の受光素子において検出される。この検出信号に基づいて発光素子の駆動制御がなされる。
【発明の効果】
【００１１】
本発明の表示装置および電子機器によれば、受光部にカラーフィルタを設け、このカラーフィルタによって選別された光に基づいて発光素子の発光制御を行うようにしたので、外光の映り込みによる色度点の変化を軽減することができる。これにより発光効率を低下することなく、かつ部品点数を増加することなく、表示画質を向上させることが可能になる。
【図面の簡単な説明】
【００１２】
【図１】本発明の一実施の形態に係る表示装置の一例を表すブロック図である。
【図２】図１に示した画素内の発光部および受光部の配置例を表す模式図である。
【図３】図２に示した発光部の構成例を表す回路図である。
【図４】図２に示した受光部の構成例を表す回路図である。
【図５】図１に示した表示パネルの一部構成を表す断面図である。
【図６】表示装置における受光部の動作の一例を表すタイミング波形図である。
【図７】外光検出による補正係数演算処理を表す流れ図である。
【図８】表示装置を含むモジュールの概略構成を表す平面図である。
【図９】表示装置の適用例１の外観を表す斜視図である。
【図１０】（Ａ）は適用例２の表側から見た外観を表す斜視図であり、（Ｂ）は裏側から見た外観を表す斜視図である。
【図１１】適用例３の外観を表す斜視図である。
【図１２】適用例４の外観を表す斜視図である。
【図１３】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１３】
以下、本発明の実施の形態について、図面を参照して詳細に説明する。なお、説明は以下の順序で行う。
１．実施の形態（画素ごとに受光部を有する例）
２．モジュールおよび適用例（電子機器への適用例）
３．変形例
【００１４】
＜実施の形態＞
［表示装置の構成］
図１は、本発明の一実施の形態に係る表示装置１の概略構成をブロック図で表したものである。この表示装置１は、表示パネル１０（表示部）およびこの表示パネル１０を駆動するための駆動回路２０を備えている。
【００１５】
（表示パネル１０）
表示パネル１０は、複数の画素１１がマトリクス状に配置された画素アレイ部１３を有しており、外部から入力される映像信号２０Ａおよび同期信号２０Ｂに基づいて、アクティブマトリクス駆動により画像表示を行うものである。各画素１１には、例えばそれぞれ赤（Ｒ），青（Ｂ），緑（Ｇ）の３原色の発光を行うサブ画素１１Ｒ，１１Ｇ，１１Ｂが含まれている。
【００１６】
画素アレイ部１３は、行状に配置された複数の走査線ＷＳＬ１（第１の走査線），ＷＳＬ２（第２の走査線）と、列状に配置された複数の信号線ＤＴＬ１（第１の信号線），ＤＴＬ２（第２の信号線）とを有している。この画素アレイ部１３はまた、走査線ＷＳＬ１，ＷＳＬ２に沿って行状に配置された複数の電源線ＤＳＬ１（第１の電源線），ＤＳＬ２（第２の電源線）および複数のゲート線ＧＤＬを有している。これらのうち、走査線ＷＳＬ１と、映像信号線としての信号線ＤＴＬ１と、電源線ＤＳＬ１とはそれぞれ、後述する発光部（発光部１１１）における発光動作の際に用いられるものである。一方、走査線ＷＳＬ２と、受光信号線としての信号線ＤＴＬ２と、電源線ＤＳＬ２と、ゲート線ＧＤＬとはそれぞれ、後述する受光部（受光部１１２）における受光動作（光検出動作）の際に用いられるものである。これらの走査線ＷＳＬ１，ＷＳＬ２、信号線ＤＴＬ１，ＷＳＬ２、電源線ＤＳＬ１，ＷＳＬ２およびゲート線ＧＤＬの一端側はそれぞれ、後述する駆動回路２０に接続されている。上記した各画素１１Ｒ，１１Ｇ，１１Ｂは、各走査線ＷＳＬ１，ＷＳＬ２、各電源線ＤＳＬ１，ＤＳＬ２および各ゲート線ＧＤＬと、各信号線ＤＴＬ１，ＤＴＬ２との交差部に対応して、行列状に配置  （マトリクス配置）されている。
【００１７】
図２は、画素１１の構成を模式的に表したものである。画素１１は発光部１１１（赤色発光素子１１１Ｒ，緑色発光素子１１１Ｇ，青色発光素子１１１Ｂ）および受光部１１２（赤色センサ１１２Ｒ，緑色センサ１１２Ｇ，青色センサ１１２Ｂ）を有している。具体的には、サブ画素１１Ｒは、赤色の発光動作を行う赤色発光素子１１１Ｒおよび外光を検出するための赤色センサ１１２Ｒにより構成されている。同様に、サブ画素１１Ｇは、緑色の発光動作を行う緑色発光素子１１１Ｇおよび外光を検出するための緑色センサ１１２Ｇ、サブ画素１１Ｂは、青色の発光動作を行う青色発光素子１１１Ｂおよび外光を検出するための青色センサ１１２Ｂによりそれぞれ構成されている。本実施の形態では、これら発光部１１１および受光部１１２には各サブ画素の色に対応するようにＲ，Ｇ，Ｂに色分けされたカラーフィルタ８３６（８３６Ｒ，８３６Ｇ，８３６Ｂ）が設けられている。なお、サブ画素１１Ｒ，１１Ｇ，１１Ｂにおける発光動作および外光検出方法は共通している。
【００１８】
（発光部１１１）
図３は、発光部１１１の内部構成（回路構成）の一例を表したものである。発光部１１１内には、赤色発光素子１１１Ｒ，緑色発光素子１１１Ｇ，青色発光素子１１１Ｂおよび各発光素子１１Ｒ，１１１Ｇ，１１１Ｂに対応する画素回路１４が設けられている。
【００１９】
画素回路１４は、書き込み（サンプリング用）トランジスタＴｒ１１（第４のトランジスタ）、駆動トランジスタＴｒ１２（第５のトランジスタ）および保持容量素子Ｃｓ（第２の保持容量素子）を用いて構成されている。すなわち、この画素回路１４は、いわゆる「２Ｔｒ１Ｃ」の回路構成となっている。書き込みトランジスタＴｒ１１および駆動トランジスタＴｒ１２はそれぞれ、例えば、ｎチャネルＭＯＳ型のＴＦＴにより構成されている。なお、ＴＦＴの種類は特に限定されるものではなく、例えば、逆スタガー構造（いわゆるボトムゲート型）であってもよいし、スタガー構造（いわゆるトップゲート型）であってもよい。
【００２０】
画素回路１４では、書き込みトランジスタＴｒ１１のゲートが走査線ＷＳＬ１に接続され、ドレインが信号線ＤＴＬ１に接続され、ソースが、駆動トランジスタＴｒ１２のゲートおよび保持容量素子Ｃｓの一端に接続されている。駆動トランジスタＴｒ１２のドレインは電源線ＤＳＬ１に接続され、ソースは、保持容量素子Ｃｓの他端および対応する赤色発光素子１１１Ｒ，緑色発光素子１１１Ｇ，青色発光素子１１１Ｂのアノードに接続されている。なお、赤色発光素子１１１Ｒ，緑色発光素子１１１Ｇ，青色発光素子１１１Ｂのカソードは固定電位に設定されており、ここではグランド（接地電位）に設定されている。
【００２１】
（受光部１１２）
図４は、受光部１１２における各センサ（赤色センサ１１２Ｒ，緑色センサ１１２Ｇ，青色センサ１１２Ｂ）の回路構成の一例を表したものである。赤色センサ１１２Ｒは、受光素子として機能する受光用トランジスタＴｒ２１、トランジスタＴｒ２２、出力用トランジスタＴｒ２３、保持容量素子Ｃ１および抵抗素子Ｒ１を有する。緑色センサ１１２Ｇおよび青色センサ１１２Ｂも赤色センサ１１２Ｒと同様の構成を有する。受光用トランジスタＴｒ２１およびトランジスタＴｒ２２はそれぞれ、例えばｎチャネルＭＯＳ型のＴＦＴである。
【００２２】
受光部１１２では、受光用トランジスタＴｒ２１のゲートがゲート線ＧＤＬに接続され、ドレインが電源線ＤＳＬ２に接続され、ソースが、保持容量素子Ｃ１の一端およびトランジスタＴｒ２２のゲートに接続されている。トランジスタＴｒ２２のドレインは電源線ＤＳＬ２に接続され、ソースは出力用トランジスタＴｒ２３のドレインに接続されている。出力用トランジスタＴｒ２３のゲートは走査線ＷＳＬ２に接続され、ソースは、信号線ＤＴＬ２および抵抗素子Ｒ１の一端に接続されている。保持容量素子Ｃ１の他端および抵抗素子Ｒ１の他端はそれぞれ、固定電位に設定されており、ここではグランドに設定されている。
【００２３】
図５は、表示パネル１０の画素１１における上部パターン層８３等の断面構造を模式的に表したものである。図に示したように、この上部パターン層８３は、基板８０側から順に、平坦化膜８３１、アノード電極８３２、赤色発光素子１１１Ｒ，緑色発光素子１１１Ｇ，青色発光素子１１１Ｂのそれぞれに対応する赤色発光層８３３Ｒ、緑色発光層８３３Ｇおよび青色発光層８３３Ｂ、ウィンドウ層８３４ならびにカソード電極８３５が積層されている。赤色発光素子１１１Ｒ，緑色発光素子１１１Ｇ，青色発光素子１１１Ｂの下方に赤色センサ１１２Ｒ，緑色センサ１１２Ｇ，青色センサ１１２Ｂが配設されている。
【００２４】
なお、カソード電極８３５上には、図示しないが赤色発光素子１１１Ｒ，緑色発光素子１１１Ｇ，青色発光素子１１１Ｂを保護するための保護層、接着層および封止用の基板等が設けられている。この封止基板には、各色発光層に対応するＲ，Ｇ，Ｂに色分けされたカラーフィルタ８３６が設けられている。このカラーフィルタ８３６は、上述のように、赤色発光素子１１１Ｒ，緑色発光素子１１１Ｇ，青色発光素子１１１Ｂに加えて、赤色センサ１１２Ｒ，緑色センサ１１２Ｇ，青色センサ１１２Ｂを覆うように形成されている。また、ここではアノード電極８３２およびカソード電極８３５間に発光層のみを設けた構造を示したが、必要に応じて他の層、例えば正孔注入層、正孔輸送層、電子輸送層、電子注入層等が積層されていてもよい。
【００２５】
赤色発光素子１１１Ｒ，緑色発光素子１１１Ｇ，青色発光素子１１１Ｂでは、アノード電極８３２上に、開口部を有するウィンドウ層（画素間絶縁膜）８３４が設けられ、その開口部に、各色の発光層（赤色発光層８３３Ｒ，緑色発光層８３３Ｇ，青色発光層８３３Ｂ）が形成されている。これらの赤色発光層８３３Ｒ，緑色発光層８３３Ｇ，青色発光層８３３Ｂとウィンドウ層８３４とを覆うように、カソード電極８３５が設けられている。
【００２６】
赤色発光層８３３Ｒ，緑色発光層８３３Ｇ，青色発光層８３３Ｂはそれぞれ、電界をかけることにより、アノード電極８３２側から注入された正孔の一部と、カソード電極８３５側から注入された電子の一部とが再結合して、赤色光，緑色光，青色光を発生するものである。赤色発光層８３３Ｒは、例えば４，４−ビス（２，２−ジフェニルビニン）ビフェニル（ＤＰＶＢｉ）に２，６−ビス［（４’−メトキシジフェニルアミノ）スチリル］−１，５−ジシアノナフタレン（ＢＳＮ）を３０重量％混合したものである。緑色発光層８３３Ｇは、例えばＤＰＶＢｉにクマリン６を５重量％混合したものである。青色発光層８３３Ｂは、例えばＤＰＶＢｉに４，４’−ビス［２−｛４−（Ｎ，Ｎ−ジフェニルアミノ）フェニル｝ビニル］ビフェニル（ＤＰＡＶＢｉ）を２．５重量％混合したものである。
【００２７】
このような赤色発光素子１１１Ｒ，緑色発光素子１１１Ｇ，青色発光素子１１１Ｂは、基板８０上に、平坦化膜８３１Ａを介して設けられ、基板８０上に形成された駆動トランジスタＴｒ１２（図５には図示せず）と、電気的に接続されている。この基板８０上の駆動トランジスタＴｒ１２と同層には、複数（ここでは３つ）の受光用トランジスタＴｒ２１が配設されている。
【００２８】
これらの受光用トランジスタＴｒ２１は絶縁膜８３１Ｃにより覆われている。受光用トランジスタＴｒ２１それぞれの上部の平坦化膜８３１Ａ、アノード電極、ウィンドウ層８３４およびカソード電極８３５は選択的に除去されており、開口８３０（８３０Ｒ，８３０Ｇ，８３０Ｂ）となっている。
【００２９】
平坦化膜８３１Ａおよびウィンドウ層８３４はそれぞれ、例えばＳｉＯやＳｉＮ等の絶縁材料からなり、アノード電極はＡｌＮｄ等、カソード電極８３５はＭｇＡｇ等の金属材料からなる。
【００３０】
（駆動回路２０）
図１に示した駆動回路２０は、画素アレイ部１３（表示パネル１０）に対して発光駆動（表示駆動）および受光駆動（光検出駆動）を行うものである。具体的には、画素アレイ部１３における複数の画素１１内の対応するサブ画素１１Ｒ，１１Ｇ，１１Ｂを順次選択しつつ、選択されたサブ画素１１Ｒ，１１Ｂ，１１Ｇに対して映像信号２０Ａに基づく映像信号電圧を書き込むことにより、各サブ画素１１Ｒ，１１Ｇ，１１Ｂの表示駆動を行っている。また、詳細は後述するが、サブ画素１１Ｒ，１１Ｂ，１１Ｇ内の受光部１１２（赤色センサ１１２Ｒ，緑色センサ１１２Ｇ，青色センサ１１２Ｂ）に対して、受光信号（光検出信号）を取得するため所定の受光駆動を行っている。
【００３１】
この駆動回路２０は、映像信号処理回路２１、タイミング生成回路２２、走査線・電源線駆動回路２３、信号線駆動回路２４、受光駆動回路２５および受光信号読み出し回路２６を有している。これらのうち、映像信号処理回路２１、走査線・電源線駆動回路２３および信号線駆動回路２４はそれぞれ、上記表示駆動を行うための回路である。一方、受光駆動回路２５および受光信号読み出し回路２６はそれぞれ、上記受光駆動を行うための回路である。
【００３２】
映像信号処理回路２１は、外部から入力されるデジタルの映像信号２０Ａに対して、受光信号に基づく輝度補正を行うと共に、輝度補正後の映像信号２１Ａを信号線駆動回路２４に出力するものである。映像信号処理回路２１は、受光信号読み出し回路２６から供給される受光信号に基づいて、輝度情報や補正係数を算出するための演算回路２１０を有している。なお、この映像信号処理回路２１では、そのような輝度補正の他にも、例えばガンマ補正やオーバードライブ補正等を行うようにしてもよい。
【００３３】
タイミング生成回路２２は、外部から入力される同期信号２０Ｂに基づいて制御信号２２Ａを生成し出力することにより、表示動作および受光動作がそれぞれ連動して動作するように制御するものである。具体的には、走査線・電源線駆動回路２３および信号線駆動回路２４がそれぞれ連動して表示動作を行うと共に、受光駆動回路２５および受光信号読み出し回路２６がそれぞれ連動して受光駆動を行うように、制御している。
【００３４】
走査線・電源線駆動回路２３は、図示しない走査線駆動回路および電源線駆動回路を有している。
【００３５】
走査線駆動回路は、制御信号２２Ａに従って（同期して）複数の走査線ＷＳＬ１に対して選択パルスを順次印加することにより、複数の画素１１のうちの対応するサブ画素１１Ｒ，１１Ｇ，１１Ｂを順次選択するものである。具体的には、書き込みトランジスタＴｒ１１をオン状態に設定するときに印加する電圧Ｖon１と、書き込みトランジスタＴｒ１１をオフ状態に設定するときに印加する電圧Ｖoff １とを選択的に出力することにより、上記した選択パルスを生成するようになっている。ここで、電圧Ｖon１は、書き込みトランジスタＴｒ１１のオン電圧以上の値（一定値）となっており、電圧Ｖoff １は、書き込みトランジスタＴｒ１１のオン電圧よりも低い値（一定値）となっている。
【００３６】
電源線駆動回路は、制御信号２２Ａに従って（同期して）、複数の電源線ＤＳＬ１に対して制御パルスを順次印加することにより、赤色発光素子１１１Ｒ，緑色発光素子１１１Ｇ，青色発光素子１１１Ｂの発光動作および消光動作の制御を行うものである。具体的には、駆動トランジスタＴｒ１２に電流Ｉｄｓを流すときに印加する電圧ＶＨ１と、駆動トランジスタＴｒ１２に電流Ｉｄｓを流さないときに印加する電圧ＶＬ１とを選択的に出力することにより、上記した制御パルスを生成するようになっている。ここで、電圧ＶＬ１は、赤色発光素子１１１Ｒ，緑色発光素子１１１Ｇ，青色発光素子１１１Ｂにおける閾値電圧Ｖthelおよびカソード電圧Ｖcat を足し合わせた電圧値（Ｖthel＋Ｖcat ）よりも低い電圧値（一定値）となるように設定されている。一方、電圧ＶＨ１は、この電圧値（Ｖthel＋Ｖcat ）以上の電圧値（一定値）となるように設定されている。
【００３７】
信号線駆動回路２４は、制御信号２２Ａに従って（同期して）、映像信号処理回路２１から入力される映像信号２１Ａに対応するアナログの映像信号を生成し、各信号線ＤＴＬ１に印加するものである。具体的には、この映像信号２１Ａに基づく各色用のアナログの映像信号電圧を、各信号線ＤＴＬ１に対して個別に印加する。これにより、上記走査線駆動回路により選択されたサブ画素１１Ｒ，１１Ｂ，１１Ｇに対して、映像信号の書き込みを行うようになっている。
【００３８】
受光駆動回路２５は、制御信号２２Ａに従って（同期して）、複数の走査線ＷＳＬ２、複数の電源線ＤＳＬ２および複数のゲート線ＧＤＬに対してそれぞれ、後述する受光制御用のパルスを順次印加するものである。これにより、各受光部１１２の受光動作（光検出動作）の制御を行うようになっている。具体的には、各走査線ＷＳＬ２に対しては、出力用トランジスタＴｒ２３をオン状態に設定するときに印加する電圧Ｖon２と、出力用トランジスタＴｒ２３をオフ状態に設定するときに印加する電圧Ｖoff ２とを選択的に出力することにより、上記パルスを生成している。各電源線ＤＳＬ２に対しては、受光用トランジスタＴｒ２１に後述するリーク電流ＩＬ（図４参照）を流すときに印加する電圧ＶＨ２と、受光用トランジスタＴｒ２１にリーク電流ＩＬを流さないときに印加する電圧ＶＬ２とを選択的に出力することにより、上記パルスを生成している。各ゲート線ＧＤＬに対しては、受光用トランジスタＴｒ２１をオン状態に設定するときに印加する電圧Ｖon３と、受光用トランジスタＴｒ２１をオフ状態に設定するときに印加する電圧Ｖoff ３とを選択的に出力することにより、上記パルスを生成している。
【００３９】
受光信号読み出し回路２６は、制御信号２２Ａに従って（同期して）、受光信号線としての複数の信号線ＤＴＬ２から出力される各受光信号を読み出すための回路である。
【００４０】
［表示装置の作用・効果］
（表示動作）
この表示装置１では、図１〜図３に示したように、駆動回路２０が、表示パネル１０（画素アレイ部１３）内の画素１１に対し、映像信号２０Ａおよび同期信号２０Ｂに基づく表示駆動を行う。これにより画素１１における発光部１１１内の赤色発光素子１１１Ｒ，緑色発光素子１１１Ｇ，青色発光素子１１１Ｂへ駆動電流が注入され、正孔と電子とが再結合して発光が起こる。その結果、表示パネル１０において、映像信号２０Ａに基づく画像表示がなされる。
【００４１】
具体的には、図３を参照すると、発光部１１１では、以下のようにして映像信号の書き込み動作（表示動作）が行われる。まず、信号線ＤＴＬ１の電圧が映像信号電圧となっており、かつ電源線ＤＳＬ１の電圧が電圧ＶＨ１となっている期間中に、走査線・電源線駆動回路２３が、走査線ＷＳＬ１の電圧を電圧Ｖoff １から電圧Ｖon１に上げる。これにより、書き込みトランジスタＴｒ１１がオン状態となるため、駆動トランジスタＴｒ１２のゲート電位Ｖｇ１２が、このときの信号線ＤＴＬ１の電圧に対応する映像信号電圧へと上昇する。その結果、補助容量素子Ｃｓに対して映像信号電圧が書き込まれ、保持される。
【００４２】
このとき、赤色発光素子１１１Ｒ，緑色発光素子１１１Ｇ，青色発光素子１１１Ｂのアノード電圧は、この段階ではまだ、各発光素子１１１Ｒ，１１１Ｇ，１１１Ｂにおける閾値電圧Ｖelとカソード電圧Ｖca（＝接地電位）とを足し合わせた電圧値（Ｖel＋Ｖca）よりも小さく、各発光素子１１１Ｒ，１１１Ｇ，１１１Ｂはカットオフ状態となっている。すなわち、この段階では、各発光素子１１１Ｒ，１１１Ｇ，１１１Ｂのアノード−カソード間には電流が流れない（対応する赤色発光素子１１１Ｒ，緑色発光素子１１１Ｇ，青色発光素子１１１Ｂが発光しない）。したがって、駆動トランジスタＴｒ１２から供給される電流Ｉｄｓは、各発光素子１１１Ｒ，１１１Ｇ，１１１Ｂのアノード−カソード間に並列に存在する素子容量（図示せず）へと流れ、この素子容量が充電される。
【００４３】
次に、信号線ＤＴＬ１および電源線ＤＳＬ１の電圧がそれぞれ、映像信号電圧および電圧ＶＨ１のまま保持されている期間中に、走査線・電源線駆動回路２３が、走査線ＷＳＬ１の電圧を電圧Ｖon１から電圧Ｖoff １へと下げる。これにより、書き込みトランジスタＴｒ１１がオフ状態となるため、駆動トランジスタＴｒ１２のゲートがフローティング状態となる。すると、この駆動トランジスタＴｒ１２のゲート−ソース間電圧Ｖｇｓ１２が一定に保持された状態で、駆動トランジスタＴｒ１２のドレイン−ソース間に電流Ｉｄｓが流れる。その結果、この駆動トランジスタＴｒ１２のソース電位Ｖｓ１２が上昇すると共に、駆動トランジスタＴｒ１２のゲート電位Ｖｇ１２もまた、保持容量素子Ｃｓを介した容量カップリングにより、連動して上昇する。そして、これにより、各発光素子１１１Ｒ，１１１Ｇ，１１１Ｂのアノード電圧が、この各発光素子１１１Ｒ，１１１Ｇ，１１１Ｂにおける閾値電圧Ｖelとカソード電圧Ｖcaとを足し合わせた電圧値（Ｖel＋Ｖca）よりも大きくなる。よって、各発光素子１１１Ｒ，１１１Ｇ，１１１Ｂのアノード−カソード間には、補助容量素子Ｃｓに保持された映像信号電圧、すなわち駆動トランジスタＴｒ１２におけるゲート−ソース間電圧Ｖｇｓ１２に応じた電流Ｉｄｓが流れ、対応する赤色発光素子１１１Ｒ，緑色発光素子１１１Ｇ，青色発光素子１１１Ｂが所望の輝度で発光する。
【００４４】
次いで、駆動回路２０は、所定の期間が経過したのち、対応する赤色発光素子１１１Ｒ，緑色発光素子１１１Ｇ，青色発光素子１１１Ｂの発光期間を終了させる。具体的には、走査線・電源線駆動回路２３が、電源線ＤＳＬ１の電圧を電圧ＶＨ１から電圧ＶＬ１へと下げる。すると、駆動トランジスタＴｒ１２のソース電位Ｖｓ１２が下降していく。これにより、各発光素子１１１Ｒ，１１１Ｇ，１１１Ｂのアノード電圧が、この各発光素子１１１Ｒ，１１１Ｇ，１１１Ｂにおける閾値電圧Ｖelとカソード電圧Ｖcaとを足し合わせた電圧値（Ｖel＋Ｖca）よりも小さくなり、アノード−カソード間に電流Ｉｄｓが流れなくなる。その結果、これ以降は各発光素子１１１Ｒ，１１１Ｇ，１１１Ｂが消光する（消光期間へと移行する）。
【００４５】
なお、その後は、駆動回路２０は、これまで説明した発光動作および消光動作がフレーム期間（１垂直期間、１Ｖ期間）ごとに周期的に繰り返されるように、表示駆動を行う。また、それと共に、駆動回路２０は、例えば１水平期間（１Ｈ期間）ごとに、電源線ＤＳＬ１に印加する制御パルスおよび走査線ＷＳＬ１に印加する選択パルスをそれぞれ、行方向に走査させる。以上のようにして、表示装置１における表示動作（駆動回路２０による表示駆動）が行われる。
【００４６】
（受光動作）
続いて、図１，図３，図６を参照して、各受光部１１２における受光動作について説明する。図６は、この受光動作の一例をタイミング波形図で表したものであり、（Ａ）〜（Ｅ）はそれぞれ、電源線ＤＳＬ２、ゲート線ＧＤＬ、走査線ＷＳＬ２、トランジスタＴｒ２２のゲート電位Ｖｇ２２および信号線ＤＴＬ２の電圧波形（受光出力電圧Ｖout の波形）を示している。
【００４７】
駆動回路２０は、表示パネル１０内の各受光部１１２に対し、電源線ＤＳＬ２、走査線ＷＳＬ２およびゲート線ＧＤＬに受光制御用のパルスを順次供給することにより、以下のような受光駆動を行う。即ち、まず、タイミングｔ１において、受光駆動回路２５が、電源線ＤＳＬ２の電圧を電圧ＶＨ２から電圧ＶＬ２へと下げる。これにより、受光用トランジスタＴｒ２１にリーク電流ＩＬが流れなくなり、トランジスタＴｒ２２のゲート電位Ｖｇ２２および受光出力電圧Ｖout が初期化される。
【００４８】
次いで、タイミングｔ２において、受光駆動回路２５は、ゲート線ＧＤＬの電圧をオフ電圧Ｖoff ３からオン電圧Ｖon３へと上げる。これにより、受光用トランジスタＴｒ２１がオン状態となるため、保持容量素子Ｃ１の一端側に対して、このときの電源線ＤＳＬ２の電圧（電圧ＶＬ２）が書き込まれ、ゲート電位Ｖｇ２２が初期化される。
【００４９】
続いて、タイミングｔ３において、受光駆動回路２５は、走査線ＷＳＬ２の電圧をオフ電圧Ｖoff ２からオン電圧Ｖon２へと上げる。これにより、出力用トランジスタＴｒ２３がオン状態となり、トランジスタＴｒ２２およびこの出力用トランジスタＴｒ２３を介して、このときの電源線ＤＳＬ２の電圧（電圧ＶＬ２）が信号線ＤＴＬ２へ書き込まれる（受光出力電圧Ｖout が電圧ＶＬ２となる）。その結果、受光出力電圧Ｖout が初期化される。
【００５０】
次いで、タイミングｔ４において、受光駆動回路２５は、ゲート線ＧＤＬの電圧を再びオン電圧Ｖon３からオフ電圧Ｖoff ３へと下げる。これにより、受光用トランジスタＴｒ２１が再びオフ状態となり、その結果、この受光用トランジスタＴｒ２１のゲート−ソース間の寄生容量による容量カップリングによりゲート電位Ｖｇ２２が下降し、これに伴って信号線ＤＴＬ２の電圧（Ｖout ）も下降する。
【００５１】
この後、タイミングｔ５において、受光駆動回路２５は、電源線ＤＳＬ２の電圧を再び電圧ＶＬ２から電圧ＶＨ２へと上げる。これにより、受光用トランジスタＴｒ２１にリーク電流ＩＬが流れるようになり、ゲート電位Ｖｇ２２および受光出力電圧Ｖout がそれぞれ上昇する。このとき、リーク電流ＩＬの大きさは、受光用トランジスタＴｒ２１への入射光Ｌの光量（輝度）に応じたものとなり、この受光用トランジスタＴｒ２１が受光素子（光検出素子）として機能する。例えば、図６（Ｄ）に示したように、光検出ありの場合には、光検出なしの場合に比べ、ゲート電位Ｖｇ２２が上昇する。また、これに伴って、白出力時（光検出ありの場合）には、黒出力時（光検出なしの場合）に比べ、受光出力電圧Ｖout が上昇する（図６（Ｅ））。
【００５２】
そして、受光駆動回路２５が、タイミングｔ６において、走査線ＷＳＬ２の電圧をオフ電圧Ｖoff ２へと下げる。上記タイミングｔ５からタイミングｔ６までの期間が受光期間Ｔｓとなる。尚、このようなタイミングｔ１〜ｔ５の非受光期間（初期化期間）およびタイミングｔ５〜ｔ６の受光期間Ｔｓにおける受光動作は、周期的に繰り返されてもよいし、任意のタイミングから開始されてもよい。以上のようにして、表示装置１における受光動作（駆動回路２０による受光駆動）が行われる。
【００５３】
（輝度補正動作）
（１．外光検出時の画素および受光部の駆動動作）
本実施の形態では、上記のような表示動作および受光動作がなされる表示装置１において、外光に応じて映像信号２０Ａの補正動作（輝度補正動作）が行われる。具体的には、まず、受光部１１２の受光用トランジスタＴｒ２１に外光が照射されると、光励起によりリーク電流が増加する。このリーク電流の増加によってＶout 電圧が変化し、外光検出のための受光信号として取得される。
【００５４】
本実施の形態では、発光部１１１（赤色発光素子１１１Ｒ，緑色発光素子１１１Ｇ，青色発光素子１１１Ｂ）に、Ｒ、Ｇ，Ｂに色分けされたカラーフィルタ８３６（赤色フィルタ８３６Ｒ，緑色フィルタ８３６Ｇ，青色フィルタ８３６Ｂ）が設けられている。本実施の形態では、このカラーフィルタ８３６は、各色ごとに赤色センサ１１２Ｒ，緑色センサ１１２Ｇ，青色センサ１１２Ｂまで延在しており、受光用トランジスタＴｒ２１も覆っている。
【００５５】
ここで、受光部１１２にカラーフィルタ８３６が設けられていない場合について考える。外光が照射された受光用トランジスタＴｒ２１は、上述のように光励起によってリーク電流が増加し、Ｖout 電圧が変化する。ところが、このＶout 電圧の変化は、赤色，緑色，青色等の各色が混在した外光をそのまま検出しているため、サブ画素１１Ｒ，１１Ｇ，１１Ｂごとに輝度補正を行うための補正係数を得ることはできない。
【００５６】
これに対して、本実施の形態では、受光部１１２にＲ，Ｇ，Ｂに色分けされたカラーフィルタ８３６を設けることにより、受光用トランジスタＴｒ２１に照射される外光は、赤色フィルタ８３６Ｒ，緑色フィルタ８３６Ｇ，青色フィルタ８３６Ｂを透過する際に選別される。これにより、赤色センサ１１２Ｒ，緑色センサ１１２Ｇ，青色センサ１１２Ｂのそれぞれの受光用トランジスタＴｒ２１は各フィルタに対応する色のみを受光し、検出することができる。即ち、サブ画素１１Ｒ，１１Ｇ，１１Ｂごとに輝度補正を行うための補正係数を得ることができる。
【００５７】
（２．補正係数の演算）
次に、駆動回路２０は、上記のようして取得した受光信号に基づいて、映像信号２０Ａを補正するための補正係数（輝度補正係数）を演算する。なお、以下に説明する各処理は全て画素１１および画素１１内のサブ画素１１Ｒ，１１Ｇ，１１Ｂごとに行われる。図７に、その処理フローを示す。即ち、まず、受光部１１２の受光用トランジスタＴｒ２１においてカラーフィルタ８３６を介して外光を受光することによって受光信号（受光出力電圧Ｖout ）を取得する（ステップＳ１１）。具体的には受光信号読み出し回路２６が信号線ＤＴＬ２から受光信号の読み出しを順次行い、読みだした受光信号を、対応する画素１１（およびサブ画素１１Ｒ，１１Ｇ，１１Ｂ）の位置に関する情報（発光画素の位置情報）と共に、受光信号２６Ａとして映像信号処理回路２１へ供給する。
【００５８】
続いて、映像信号処理回路２１は入力された受光信号２６Ａに基づいて、受光画素の輝度情報を算出する（ステップＳ１２）。具体的には、演算回路２１０が上記のような発光画素の位置情報と受光信号に基づいて、外光の色度情報を算出する。
【００５９】
このようにして得られた外光の色度情報から、発光画素の輝度を変更する補正係数を算出し、この補正係数に基づいて、映像信号２０Ａを補正し、補正後の映像信号２１Ａを信号線駆動回路２４へ出力する（ステップＳ１３）。このようにしてサブ画素１１Ｒ，１１Ｇ，１１Ｂに対して外光に基づく輝度補正がなされる。
【００６０】
以上のように、本実施の形態では、発光部１１１（発光素子１１１Ｒ，１１０Ｇ，１１０Ｂ）に対応するように色分けされたカラーフィルタ８３６（赤色フィルタ８３６Ｒ，緑色フィルタ８３６Ｇ，青色フィルタ８３６Ｂ）によって、対応する受光部１１２（赤色センサ１１２Ｒ，緑色センサ１１２Ｇ，青色センサ１１２Ｂ）を覆うようにした。これにより、カラーフィルタ８３６によって選別された外光が受光部１１２に受光される。即ち、赤色センサ１１２Ｒ，緑色センサ１１２Ｇ，青色センサ１１２Ｂは外光のうち対応する色光（Ｒ，Ｇ，Ｂのいずれか）を検出することができる。よって、サブ画素１１Ｒ，１１Ｇ，１１Ｂ単位で赤色発光素子１１１Ｒ，緑色発光素子１１１Ｇ，青色発光素子１１１Ｂそれぞれの駆動制御を行い、表示画面の輝度補正を行うことができる。具体的には、例えば外光に赤色光が多く含まれている場合には、赤色発光素子１１１Ｒの輝度を抑えて表示画面の色度を調整する。これにより、発光効率の低下あるいは部品点数を増加することなく表示画質を向上させることが可能となる。
【００６１】
＜モジュールおよび適用例＞
次に、図８〜図１３を参照して、上記実施の形態で説明した表示装置１の適用例について説明する。上記実施の形態の表示装置１は、テレビジョン装置，デジタルカメラ，ノート型パーソナルコンピュータ、携帯電話等の携帯端末装置あるいはビデオカメラなどのあらゆる分野の電子機器に適用することが可能である。言い換えると、この表示装置１は、外部から入力された映像信号あるいは内部で生成した映像信号を、画像あるいは映像として表示するあらゆる分野の電子機器に適用することが可能である。
【００６２】
（モジュール）
表示装置１は、例えば、図８に示したようなモジュールとして、後述する適用例１〜５などの種々の電子機器に組み込まれる。このモジュールは、例えば、基板３１の一辺に、封止用基板３２から露出した領域２１０を設け、この露出した領域２１０に、駆動回路２０の配線を延長して外部接続端子（図示せず）を形成したものである。この外部接続端子には、信号の入出力のためのフレキシブルプリント配線基板（ＦＰＣ；Flexible Printed Circuit）２２０が設けられていてもよい。
【００６３】
（適用例１）
図９は、表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００が表示装置１により構成されている。
【００６４】
（適用例２）
図１０は、表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、この表示部４２０が表示装置１により構成されている。
【００６５】
（適用例３）
図１１は、表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が表示装置１により構成されている。
【００６６】
（適用例４）
図１２は、表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が表示装置１により構成されている。
【００６７】
（適用例５）
図１３は、表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、表示装置１により構成されている。
【００６８】
以上、実施の形態および適用例を挙げて本発明を説明したが、本発明はこれらの実施の形態等に限定されず、種々の変形が可能である。
【００６９】
例えば、上記実施の形態では、表示パネル内において受光部１１２が画素１１ごとに設けられている場合について説明したが、受光部１１２は表示パネル内に少なくとも１つ以上設けられていればよく、必ずしも画素１１ごとに設けられていなくてもよい。また、ここでは受光部１１２（受光用トランジスタＴｒ２１）から得られた受光信号は、同一画素１１内の発光部１１１を制御する場合について説明したが、上述のように受光部１１２が画素１１ごとに設けられていない場合には、得られた受光信号は他の画素１１の発光部１１１を制御して表示画面の色度を調整する。
【００７０】
また、上記実施の形態では、各発光素子１１１Ｒ，１１１Ｂ，１１１Ｇに対応するように色分けされたカラーフィルタ８３６を延長して受光部１１２を覆うようにしたが、これに限らず、受光部１１２はサブ画素１１Ｒ，１１Ｇ，１１Ｂ内の対応する発光素子１１１Ｒ，１１１Ｂ，１１１Ｇとは異なる色のカラーフィルタ８３６で覆ってもよい。例えば、サブ画素１１Ｒの赤色発光素子１１Ｒ上を赤色フィルタ、サブ画素１１Ｒに設けられたセンサ１１２Ｒを青色フィルタで覆ってもよい。この場合、赤色センサ１１２Ｒは外光のうち青色光を受光し、検出する。
【００７１】
更に、上記実施の形態では、表示装置がアクティブマトリクス型である場合について説明したが、アクティブマトリクス駆動のための画素回路の構成は、上記実施の形態等で説明したものに限られない。すなわち、画素回路の構成は、上記実施の形態等で説明した「２Ｔｒ１Ｃ」の回路構成には限られず、例えば必要に応じて、容量素子やトランジスタ等を追加したり置き換えたりするようにしてもよい。その場合、画素回路の変更に応じて、上述した走査線・電源線駆動回路および信号線駆動回路の他に、必要な駆動回路を追加するようにしてもよい。また、同様に受光部の回路構成についても、上記実施の形態等で説明した「３Ｔｒ１Ｃ」の回路構成には限られず、例えば必要に応じて、容量素子やトランジスタ等を追加したり置き換えたりするようにしてもよい。
【００７２】
更にまた、上記実施の形態では、走査線・電源線駆動回路、信号線駆動回路、受光駆動回路および受光信号読み出し回路における駆動動作をそれぞれ、タイミング生成回路が制御する場合について説明したが、他の回路がこれらの駆動動作を制御するようにしてもよい。また、このような走査線・電源線駆動回路、信号線駆動回路、受光駆動回路および受光信号読み出し回路に対する制御は、ハードウェア（回路）で行われるようにしてもよいし、ソフトウェア（プログラム）で行われるようにしてもよい。
【００７３】
加えて、上記実施の形態では、画素回路内および受光部内のトランジスタがそれぞれ、ｎチャネルトランジスタ（ｎチャネルＭＯＳ型のＴＦＴ）により形成されている場合について説明したが、この場合には限られない。すなわち、これらのトランジスタがそれぞれ、ｐチャネルトランジスタ（ｐチャネルＭＯＳ型のＴＦＴ）により形成されていてもよい。
【符号の説明】
【００７４】
１…表示装置、１０…表示パネル、１１…画素、１１Ｒ，１１Ｇ，１１Ｂ…サブ画素、１１１…発光部、１１１Ｒ…赤色発光素子、１１１Ｇ…緑色発光素子、１１１Ｂ…青色発光素子、１１２…受光部、１１２Ｒ…赤色センサ、１１２Ｇ…緑色センサ、１１２Ｂ…青色センサ、１３…画素アレイ部、１４…画素回路、２０…駆動回路、２０Ａ，２１Ａ…映像信号、２０Ｂ…同期信号、２１…映像信号処理回路、２２…タイミング生成回路、２２Ａ…制御信号、２３…走査線・電源線駆動回路、２４…信号線駆動回路、２５…受光駆動回路、２６…受光信号読み出し回路、２６Ａ…制御信号、８０…基板、８１１…ゲート電極、８１２…ゲート絶縁膜、８１３…Ｓｉ膜、８１４…絶縁膜、８１５Ｓ…ソース電極、８１５Ｄ…ドレイン電極、８１６…チャネル層、８２１…電極、８２２…絶縁膜、８２３…Ｓｉ膜、８２４…絶縁膜、８２５…電極、８２６…チャネル層、８３…上部パターン層、８３０…開口、８３１…平坦化膜、８３２…アノード電極、８３３Ｒ…赤色発光層、８３３Ｇ…緑色発光層、８３３Ｂ…青色発光層、８３４…ウィンドウ層、８３５…カソード電極、８３６…カラーフィルタ、８３６Ｒ…赤色フィルタ、８３６Ｇ…緑色フィルタ、８３６Ｂ…青色フィルタ、ＷＳＬ１，ＷＳＬ２…走査線、ＤＴＬ１，ＤＴＬ２…信号線、ＤＳＬ１，ＤＳＬ２…電源線、ＧＤＬ…ゲート線、Ｔｒ１１…書き込みトランジスタ、Ｔｒ１２…駆動トランジスタ、Ｔｒ２１，Ｔｒ１２１，Ｔｒ２２１…受光用トランジスタ、Ｔｒ２２…トランジスタ、Ｔｒ２３…出力用トランジスタ、Ｃｓ，Ｃ１…保持容量素子、Ｒ１…抵抗素子、Ｉｄｓ…電流（発光電流）、Ｖon１，Ｖon２，Ｖon３，Ｖoff １，Ｖoff ２，Ｖoff ３，ＶＨ１，ＶＨ２，ＶＬ１，ＶＬ２…電圧、Ｖｇ１２，Ｖｇ２２…ゲート電位、Ｖｓ１２…ソース電位、Ｖｇｓ１２…ゲート−ソース間電圧、Ｖout …受光出力電圧、Ｃｇｓ，Ｃｇｓ１〜Ｃｇｓ３…寄生容量、Ｌｒ，Ｌｇ，Ｌｂ…発光光（表示光）、ＬＯ…外光、Ｌ…入射光、ｔ１〜ｔ６…タイミング、Ｔｓ…受光（光検出）期間Ｓ１，Ｓ２，Ｓ３，Ｓ４，Ｓ５…重複領域。
【図１】
2011215353.tif 000003
【図２】
2011215353.tif 000004
【図３】
2011215353.tif 000005
【図４】
2011215353.tif 000006
【図５】
2011215353.tif 000007
【図６】
2011215353.tif 000008
【図７】
2011215353.tif 000009
【図８】
2011215353.tif 000010
【図９】
2011215353.tif 000011
【図１０】
2011215353.tif 000012
【図１１】
2011215353.tif 000013
【図１２】
2011215353.tif 000014
【図１３】
2011215353.tif 000015